【事件の表示】
　平成　７年特許願第１７５１０３号「液晶表示装置」拒絶査定不服審判事件〔平成　９年　１月２８日出願公開、特開平　９−　２６５８６〕について、次のとおり審決する。
【結　論】
　本件審判の請求は、成り立たない。
【理　由】
第１．手続の経緯
平成　７年　７月１１日　特許出願
平成１４年　７月１０日　手続補正
平成１５年　３月１８日　拒絶理由
平成１５年　５月２１日　手続補正
平成１５年　８月　１日　拒絶査定
平成１５年　９月１１日　審判請求
平成１５年１０月１４日　手続補正
　
第２．補正の却下の決定
［補正の却下の決定の結論］
　平成１５年１０月１４日付の手続補正を却下する。
　
［理由］
１．補正後の発明
　平成１５年１０月１４日付の手続補正（以下「本件補正」という）により特許請求の範囲の請求項１は下記のとおり補正された。
　
　　　　　　　　　　　　　　　記
　
【請求項１】液晶層を介して重ね合わせた２枚の透明絶縁基板のうち、第１の前記透明絶縁基板の前記液晶層側の面上に、複数本の走査信号線と、これと絶縁膜を介して交差する複数本の映像信号線とをそれぞれ並設し、前記走査信号線と前記映像信号線との各交点近傍にスイッチング素子を設け、かつ、同一基板面上に駆動用ＩＣを搭載したフリップチップ方式の液晶表示素子を有する液晶表示装置において、
　少なくとも前記駆動用ＩＣが搭載される領域の前記基板面上に、該各駆動用ＩＣにおける前記映像信号線または前記走査信号線から第１の切断線を介して伸びる信号線を共通に接続して短絡する短絡配線を設け、
　前記各駆動用ＩＣ毎の短絡配線は、該駆動用ＩＣへの入力配線に並んで配置され、前記基板の第２の切断線の外側に設けられていた共通短絡配線に接続される配線に接続されており、
　該配線は、前記駆動用ＩＣへの入力配線と実質的に同様の構成であることを特徴とする液晶表示装置。
　
２．判断
　本件補正は、補正前の請求項１に係る発明の、「前記各駆動用ＩＣ毎の短絡配線が、該駆動用ＩＣへの入力配線を介して、前記基板の切断線の外側に設けた共通短絡配線に接続されている」という構成を、「前記各駆動用ＩＣ毎の短絡配線は、該駆動用ＩＣへの入力配線に並んで配置され、前記基板の第２の切断線の外側に設けられていた共通短絡配線に接続される配線に接続されており、該配線は、前記駆動用ＩＣへの入力配線と実質的に同様の構成である」と補正することを含むものである。
　しかしながら、補正後の「共通短絡配線に接続される配線」に関し、「実質的に」「同様」という記載によって特定される構成が、どのような点で駆動用ＩＣへの入力配線と「実質的に」「同様」なのかが、特許請求の範囲の記載のみならず発明の詳細な説明や図面を参照しても不明りょうである。
　そうしてみれば、当該補正は、誤記の訂正でも不明りょうな記載の釈明でもなく、たとい、審判請求書（平成１５年１０月１４日付手続補正書により補正されたもの）の「請求項１の補正の根拠箇所は、本願明細書の段落（００６６）です。「配線が駆動用ＩＣへの入力端子と実質的に同様の構成である」点は、段落（００８６）の「複数種のチップのバンブ配置に対応できるように入力端子および配線を予め設けておく」との記載と、図２により、直接的且つ一義的に記載されていると言え、新規事項の追加には当らないと思料します。」という記載を考慮しても、特許請求の範囲の減縮と見ることはできない。
　したがって、本件補正は、特許法第１７条の２第４項第１号ないし第４号に掲げる事項を目的とするものではないから、特許法第１７条の２第４項の規定に適合しない。
　
３．補正の却下の決定の結び
　本件補正は、特許法第１７条の２第４項の規定に違反するので、特許法第１５９条第１項において読み替えて準用する同法第５３条第１項の規定により却下すべきものである。
　
第３．本願発明
１．本願発明
　平成１５年１０月１４日付の手続補正は上記「第２．補正の却下の決定」のとおり却下されたので、本願の請求項に係る発明は、平成１４年７月１０日及び平成１５年５月２１日付け手続補正書により補正された明細書及び図面の記載からみて、その特許請求の範囲の請求項１ないし２に記載された事項により特定されるとおりのものと認められるところ、その請求項１に係る発明は下記のものである（以下「本願発明」という）。
　
　　　　　　　　　　　　　　　　　記
　
【請求項１】液晶層を介して重ね合わせた２枚の透明絶縁基板のうち、第１の前記透明絶縁基板の前記液晶層側の面上に、複数本の走査信号線と、これと絶縁膜を介して交差する複数本の映像信号線とをそれぞれ並設し、前記走査信号線と前記映像信号線との各交点近傍にスイッチング素子を設け、かつ、同一基板面上に駆動用ＩＣを搭載したフリップチップ方式の液晶表示素子を有する液晶表示装置において、
　少なくとも前記駆動用ＩＣが搭載される領域の前記基板面上に、該各駆動用ＩＣにおける前記映像信号線または前記走査信号線とを短絡する短絡配線を設け、
　前記各駆動用ＩＣ毎の短絡配線が、該駆動用ＩＣへの入力配線を介して、前記基板の切断線の外側に設けた共通短絡配線に接続されていることを特徴とする液晶表示装置。
　
２．引用例の記載等
　本願の出願日前であって、原査定の拒絶の理由に引用された特開平６−１４８６６６号公報（以下「引用例１」という）には図面とともに以下の事項が記載されている。
（１）「【０００１】【産業上の利用分野】本発明は、画素電極に接続されたスイッチング素子を駆動するドライバＩＣチップを直接搭載することのできるチップオングラス基板およびそれを用いた液晶表示装置の製造方法に関する。」
　
（２）「【０００２】【従来の技術】液晶表示装置は、複数の画素電極とＴＦＴのようなスイッチング素子が形成された画素電極基板と、共通電極が形成された対向電極基板とを微小な間隙を隔てて貼り合わせ間隙中に液晶を充填して液晶パネルを構成し、さらに液晶パネルにこれを駆動するＩＣチップを接続することにより組み立てられる。而して、従来の液晶パネルへのＩＣチップの接続手段としては、主としてＴＡＢ方式が用いられてきた。これは、ドライバＩＣチップをＴＡＢテープ上に搭載し、そのテープを画素電極基板の周辺に設けられた外部接続端子に接続するものである。
【０００３】図３は、ＴＡＢ方式によりドライバＩＣチップが接続される画素電極基板の平面図である（例えば、特開昭６３−１８０９３５号公報）。同図において、３１は多面取りがなされる分割前ガラス基板、３２は画素電極基板、３３は分割後のガラス基板、３４はＴＡＢテープの電極が接続される外部接続端子、３５は電極配線、３６は、各電極配線３５を短絡する短絡線、Ｃは切断線である。なお、図示されてはいないが各電極配線の交点にはＴＦＴ等のスイッチング素子が接続されている。
【０００４】上述の従来例においては、各電極配線は全て短絡線により共通に接続されているが、このように構成するのは、静電気によってスイッチング素子や配線等が破壊されるのを防止するためである。この短絡線は、切断線Ｃに沿って分割前ガラス基板３１を切断したときに、個々のガラス基板３３からは分離される。
【０００５】ところが、最近では、小型化およびコスト削減の要求に応えるために、従来のＴＡＢ方式に代え、ドライバＩＣチップを画素電極基板上に直接搭載するいわゆるチップオングラス（Chip On Glass)方式が採用されるようになってきている。図２は、チップオングラス方式を採用した場合のガラス基板の周辺部分を示す平面図である。図２の示されるように、ガラス基板２１の周辺部にはＩＣチップ搭載部２２が配置されており、ＩＣチップ搭載部２２の周辺には、基板中央の表示部２３から引き出された電極配線２４が集められている。ＩＣチップ搭載部２２から引き出された電極配線の一部は外部接続端子２５に接続されている。」
　
（３）「【０００９】【実施例】次に、本発明の実施例について図面を参照して説明する。図１は、本発明の第１の実施例を示す平面図である。同図において、１１はガラス基板、１２は、ガラス基板１１の周辺に設けられたＩＣチップ搭載部、１３は、ガラス基板１１の中央部に設けられ、複数の画素電極およびそれぞれの画素電極に対応したスイッチング素子が形成されている表示部、１４は、ＩＣチップ搭載部１２と表示部１３との間、およびＩＣチップ搭載部１２と外部接続端子１５との間に設けられた電極配線、１６は、ＩＣチップ搭載部１２の周囲の電極配線から引き出された短絡線、１７は、ガラス基板１１の外側にあって、外部接続端子間を接続するブロック間短絡線、Ｃは切断線である。ここで、短絡線１６、１７は、電極配線１４および外部接続端子１５を形成する際に同時に形成されたものである。
【００１０】図１に示されるように、全ての電極配線１４は、短絡線１６およびブロック間短絡線１７を介して共通に接続されるため、ＴＦＴ等のスイッチング素子や電極が製造工程途中で静電気により破壊されることがなくなる。
【００１１】画素電極基板を図１に示すように作製した後、画素電極基板の表示部１３上に、共通電極およびカラーフィルタの形成された対向電極基板を、微小な間隙を置いて貼り付ける。続いて、その間隙中に液晶を充填し封着する。しかる後、切断線Ｃに沿って切断して大ガラス基板から複数のガラス基板を切り出す。このとき同時にブロック間短絡線１７はガラス基板１１から分離される。次に、レーザ光を用いて短絡線１６を切断して、各電極配線１４同士を分離する。その後、ＩＣチップ搭載部１２にフリップチップ状態のドライバＩＣをフェイスダウンボンディングして液晶パネルを完成する。」
　
（４）「【００１４】【発明の効果】以上説明したように、本発明は、チップオングラス基板において、ＩＣチップの電極と接続される電極端子の全ておよび外部回路に接続される外部接続端子の全てを短絡したものであるので、本発明によれば、静電破壊を防止することができ、歩留りを向上させることができる。従って、本発明によれば、チップオングラス方式を採用した際に、その採用の目的に適ってコスト削減を達成することができる。」
　
（５）図１には、短絡線１６が、各ＩＣチップ毎に配線されている点、及び、外部接続端子１５を介して、ガラス基板の切断線Ｃの外側に設けたブロック間短絡線１７に接続されている点、が見てとれる。
　
　したがって、引用例１には以下の発明が記載されている（以下「引用発明」という）。
「画素電極に接続されたスイッチング素子を駆動するＩＣチップをフリップチップ方式で直接搭載することのできるチップオングラス基板を用いた液晶表示装置において、
　ガラス基板の周辺に設けられたＩＣチップ搭載部に、ＩＣチップ搭載部の周囲の電極配線から引き出された短絡線を設け、
　前記各ＩＣチップ毎の短絡線が、外部接続端子を介して、前記ガラス基板の切断線の外側に設けたブロック間短絡線に接続されている、液晶表示装置。」
　
３．対比
　そこで、本願発明と引用発明を比較すると以下のとおりである。
（１）引用発明の「ＩＣチップ」「ガラス基板」「短絡線」「外部接続端子」「切断線」「ブロック間短絡線」及び「液晶表示装置」は、それぞれ、本願発明の「駆動用ＩＣ」「基板」「短絡配線」「駆動用ＩＣへの入力配線」「切断線」「共通短絡配線」及び「液晶表示装置」に相当する。
（２）引用発明は「画素電極に接続されたスイッチング素子を駆動するＩＣチップをフリップチップ方式で直接搭載することのできるチップオングラス基板を用いた液晶表示装置」であって、技術常識を参酌すれば、引用発明が本願発明の「液晶層を介して重ね合わせた２枚の透明絶縁基板のうち、第１の前記透明絶縁基板の前記液晶層側の面上に、複数本の走査信号線と、これと絶縁膜を介して交差する複数本の映像信号線とをそれぞれ並設し、前記走査信号線と前記映像信号線との各交点近傍にスイッチング素子を設け、かつ、同一基板面上に駆動用ＩＣを搭載したフリップチップ方式の液晶表示素子を有する液晶表示装置」に相当する構成を有することは自明である。
（３）引用発明の短絡線は「ガラス基板の周辺に設けられたＩＣチップ搭載部に」設けられ、「ＩＣチップ搭載部の周囲の電極配線から引き出された」短絡線であり、また、引用発明のＩＣチップは「画素電極に接続されたスイッチング素子を駆動する」ものであるから、引用発明の短絡線は「少なくとも前記駆動用ＩＣが搭載される領域の前記基板面上に、該各駆動用ＩＣにおける前記映像信号線または前記走査信号線とを短絡する」ものといえる。
　そうしてみれば、本願発明と引用発明は、
「液晶層を介して重ね合わせた２枚の透明絶縁基板のうち、第１の前記透明絶縁基板の前記液晶層側の面上に、複数本の走査信号線と、これと絶縁膜を介して交差する複数本の映像信号線とをそれぞれ並設し、前記走査信号線と前記映像信号線との各交点近傍にスイッチング素子を設け、かつ、同一基板面上に駆動用ＩＣを搭載したフリップチップ方式の液晶表示素子を有する液晶表示装置において、
　少なくとも前記駆動用ＩＣが搭載される領域の前記基板面上に、該各駆動用ＩＣにおける前記映像信号線または前記走査信号線とを短絡する短絡配線を設け、
　前記各駆動用ＩＣ毎の短絡配線が、該駆動用ＩＣへの入力配線を介して、前記基板の切断線の外側に設けた共通短絡配線に接続されていることを特徴とする液晶表示装置。」
　の点で一致することとなり、結局、両者は同一である。
　
　なお、審判請求人は平成１５年５月２１日付け手続補正書とともに提出された意見書において以下のとおり主張している。
「請求項１の発明は、・・・
　（イ）少なくとも前記駆動用ＩＣが搭載される領域の前記基板面上に、該各駆動用ＩＣにおける前記映像信号線または前記走査信号線とを短絡する短絡配線を設け、
　（ウ）前記各駆動用ＩＣ毎の短絡配線が、該駆動用ＩＣへの入力配線を介して、前記基板の切断線の外側に設けた共通短絡配線に接続されている、
　というものです。」
「請求項１の発明の構成要件（イ）の駆動用ＩＣが搭載される領域の短絡配線については、引用文献１に示唆する記載がありますが、引用文献１は構成要件（ウ）のように、各駆動用ＩＣ毎の短絡配線が、駆動用ＩＣへの入力配線を介して前記基板の切断線の外側に設けた共通短絡配線に接続されている構成にはなっておらず、構成要件（ウ）については記載されているとはいえません。
　他の引用文献についても、請求項１の発明のように、まず構成要件（イ）のように、各駆動用ＩＣ毎の短絡配線を配置し、さらに構成要件（ウ）のように、この各駆動用ＩＣ毎の短絡配線が、駆動用ＩＣへの入力配線を介して、基板の切断線の外側に設けた共通短絡配線に接続されている構成について一切記載されていません。
　本発明は、このようにまず構成要件（イ）のような短絡配線を設け、そして構成要件（ウ）のように各短絡配線を共通短絡配線に接続した構成にすることで、共通短絡配線に接続する各短絡配線からの配線を少なくできるという各引用文献の構成では得られない特有の効果を有するというものです。
　以上より、本発明は各引用文献に記載されているものではなく、また示唆もされておらず、本発明は各引用文献に基づいて容易に発明できるものではありません。」
　しかしながら、既に述べたとおり、引用発明は（イ）及び（ウ）の構成を有するものである。
　仮に、審判請求人が主張する短絡配線及び入力配線の構成が、本件補正により補正された特許請求の範囲の請求項１の構成、さらには、本願の図２のような構成であると仮定しても、そのような構成は、特開平７−１５２０４３号公報（以下「引用例２」という）に記載されている。つまり、引用例２には、「【００２８】（実施例４）次に、図７は本発明に係る実施例４の液晶表示パネルのパネル上面の構成を示す図であり、図７（ａ）は図１に示すＡ部に該当する部分の構成を示す拡大図、図７（ｂ）は図７（ａ）に示す部分のレーザーカット後の構成を示す拡大図である。ここでは、請求項３，５に係る特徴部分を具体的に説明する。本実施例は、実施例１と実施例３の両方の特徴を兼ね備えたものであり、共通導体パターン１ｄを液晶表示パネル１を周回する形状から１個の液晶駆動用ＬＳＩベアチップ２の実装部毎にパネル外部に取り出すようにして構成する。この時、信号の取り出しは、液晶駆動用ＬＳＩベアチップ２への入力信号供給用電極端子と同様に形成された導体パターン１ｉにて行う他、この場合の各共通導体パターン１ｄ同士の電気的接続は、前述した従来の方法にて行う。なお、図示していないが、共通導体パターン１ｄのパネル外部への取り出しは、ＬＳＩチップ１個毎に行うのではなく、複数個毎で行ってもよい。【００２９】このように、本実施例（請求項３）では、液晶表示パネル１の有効表示領域１ａより外側に向かって延びる信号配線１ｂを、液晶駆動用ＬＳＩベアチップ２の出力端子に相対する電極端子１ｃよりも更に外側に延長して、パネル外周に沿って液晶駆動用ＬＳＩベアチップ２の実装部下部を通過するように形成された共通導体パターン１ｄに全て接続し、かつパネル完成後に電極端子１ｃと共通導体パターン１ｄとの間の部分のレーザーカットライン１ｅをレーザーでカットしてなるように構成し、更に、液晶駆動用ＬＳＩベアチップ２を液晶表示パネル１へ直接実装する液晶表示パネルにおいて、液晶表示パネル１の有効表示領域１ａより外側に向かって延びる信号配線１ｂ上に、かつ液晶表示パネル１の上側基板と液晶駆動用ＬＳＩベアチップ２実装部との間に長さ０．５〜１ｍｍ程度の電極端子１ｆを形成してなるように構成する。」「【０００４】【従来の技術】従来のＴＡＢ実装用の液晶表示パネルでは、信号配線パターンをストレートにパネル端部まで取り出せるように構成しているため、図１２に示すように、パネル端面に沿って、幅０．２〜０．５ｍｍ程度の静電気対策用共通導体パターン１０１を全信号配線パターンとなるＴＡＢ実装用電極端子１０２に電気的に接続しておき、パネルが完成した時点でパネル基板端面１０３を研磨する際に導体パターン１０１も除去するように構成している。」と記載されており、引用発明における短絡配線及び入力配線の構成を、引用例２に記載された構成のように変更することは、当業者ならば容易にできることである。
　したがって、仮に、審判請求人が主張する短絡配線及び入力配線の構成が、本願の図２のような構成であると仮定しても、本願発明は引用例に記載された発明及び周知技術に基づいて当業者が容易に発明をすることができたものであるから特許法第２９条第２項の規定により特許を受けることができず、審判請求人の主張は採用できない。
　
　また、原査定の拒絶の理由は、特許法第２９条第１項第３号に該当するというものではないが、審判請求人は、平成１５年５月２１日付け手続補正書とともに提出された意見書において本願発明と上記引用例を対比し、容易性のみならず、同一性についても検討していることは明らかである。
　
５．むすび
　以上のとおり、本願発明は引用例に記載された発明であるから、特許法第２９条第１項第３号の規定により特許を受けることができない。
　よって結論のとおり審決する。